(57)【要約】【課題】記録紙が汚れ難く、各種の用紙等を組込むことができる感圧記録紙付き書籍を提供する。【解決手段】感圧による発色性を有する感圧発色記録紙１２と、吸色性を有し、感圧発色記録紙１２の発色により複写可能な感圧吸色記録紙１４と、感圧発色記録紙１２の発色による複写を阻止する隔離シート１６とを備え、感圧発色記録紙１２と感圧吸色記録紙１４との間に隔離シート１６を介在させてこれらを重ね合わせると共に、隔離シート１６を分離可能な状態で製本してなる。感圧発色記録紙１２は、周知の感圧発色剤層を備えたもので、記入原紙となる。感圧吸色記録紙１４は、周知の感圧吸色剤層を備えたもので、表面に、感圧発色記録紙１２の記入欄と同様な記入欄が設けられている。【選択図】図２
0003116921.tif 000002
【実用新案登録請求の範囲】
【請求項１】
感圧による発色性を有する感圧発色記録紙と、
吸色性を有し、前記感圧発色記録紙の発色により複写可能な感圧吸色記録紙と、
前記感圧発色記録紙の発色による複写を阻止する隔離シートとを備え、
前記感圧発色記録紙と前記感圧吸色記録紙との間に前記隔離シートを介在させてこれらを重ね合わせると共に、前記隔離シートを分離可能な状態で製本してなることを特徴とする感圧記録紙付き書籍。
【請求項２】
請求項１記載の感圧記録紙付き書籍において、
前記感圧発色記録紙と前記感圧吸色記録紙との間に前記隔離シートを配置し重ね合わせた状態でセットし、このセットの複数を組込んで製本したことを特徴とする感圧記録紙付き書籍。
【請求項３】
請求項１記載の感圧記録紙付き書籍において、
前記隔離シートおよび又は感圧吸色記録紙の各綴代近傍に、その綴代端縁に沿うミシン目を設けたことを特徴とする感圧記録紙付き書籍。
【請求項４】
請求項１記載の感圧記録紙付き書籍において、
前記隔離シートに、前記感圧発色記録紙の記入欄の横罫線に沿うミシン目を設けたことを特徴とする感圧記録紙付き書籍。
【請求項５】
請求項１記載の感圧記録紙付き書籍において、
前記隔離シートの表紙に、隔離シートの取扱いコメント文を表示したことを特徴とする感圧記録紙付き書籍。
【請求項６】
請求項２記載の感圧記録紙付き書籍において、
前記隔離シートの表紙を着色したことを特徴とする感圧記録紙付き書籍。
【考案の詳細な説明】
【技術分野】
【０００１】
本考案は、複写可能な発色記録紙を綴じた感圧記録紙付き書籍に関する。
【背景技術】
【０００２】
従来からカーボン紙等の複写紙と被複写紙とを１セットとしたものを、複数セット綴じ合わせてなる伝票、領収書等の冊子が知られている（特許文献１、特許文献２）。このような冊子を使用する場合には、被複写紙の下に下敷きを挿入するようにしている。
【特許文献１】特開２００４−１２５９号公報
【特許文献２】特開２００４−９０６０６号公報
【考案の開示】
【考案が解決しようとする課題】
【０００３】
ここで、従来の技術には、次のような解決すべき課題があった。
上記冊子に記入しようとするときに、被複写紙の下に下敷きを敷き忘れたり、記入後、下敷きを置き忘れたり、下敷きの挿置位置を間違えたりしたときには被複写紙が汚れて複写紙ともども不良品となる。また、他の用紙等も組込んで一緒に製本しようとした場合に、製本中に複写紙により汚れ易いという課題があった。
本考案は、上記の課題を解消するためになされたもので、記録紙が汚れ難く、各種の用紙等を組込むことができる感圧記録紙付き書籍を提供することを目的とする。
【課題を解決するための手段】
【０００４】
本考案の各実施例においては、それぞれ次のような構成により上記の課題を解決する。
〈構成１〉
感圧による発色性を有する感圧発色記録紙と、吸色性を有し、上記感圧発色記録紙の発色により複写可能な感圧吸色記録紙と、上記感圧発色記録紙の発色による複写を阻止する隔離シートとを備え、上記感圧発色記録紙と上記感圧吸色記録紙との間に上記隔離シートを介在させてこれらを重ね合わせると共に、上記隔離シートを分離可能な状態で製本してなることを特徴とする感圧記録紙付き書籍。
【０００５】
感圧発色記録紙と感圧吸色記録紙との間に隔離シートを介在させていることにより、感圧吸色記録紙が製本中等に感圧発色記録紙の発色により汚れることが防止される。従って、汚れによる感圧発色記録紙と感圧吸色記録紙のセットロスを回避できる。
【０００６】
〈構成２〉
構成１記載の感圧記録紙付き書籍において、上記感圧発色記録紙と上記感圧吸色記録紙との間に上記隔離シートを配置し重ね合わせた状態でセットし、このセットの複数を組込んで製本したことを特徴とする感圧記録紙付き書籍。
【０００７】
数種類の記録紙等を一冊に綴じたものとすることができる。
【０００８】
〈構成３〉
構成１記載の感圧記録紙付き書籍において、上記隔離シートおよび又は感圧吸色記録紙の各綴代近傍に、その綴代端縁に沿うミシン目を設けたことを特徴とする感圧記録紙付き書籍。
【０００９】
隔離シートおよび又は感圧吸色記録紙を、ミシン目に沿って簡単かつきれいに切り離すことができる。
【００１０】
〈構成４〉
構成１記載の感圧記録紙付き書籍において、上記隔離シートに、上記感圧発色記録紙の記入欄の横罫線に沿うミシン目を設けたことを特徴とする感圧記録紙付き書籍。
【００１１】
隔離シートを、感圧発色記録紙の記入欄の記入状況に応じて部分的に簡単かつきれいに切り離すことができる。
【００１２】
〈構成５〉
構成１記載の感圧記録紙付き書籍において、上記隔離シートの表紙に、隔離シートの取扱いコメント文を表示したことを特徴とする感圧記録紙付き書籍。
【００１３】
使用者が隔離シートをどのようにすればよいのかを、コメント文で容易に知ることができるので、使い勝手がよくなる。
【００１４】
〈構成６〉
構成２記載の感圧記録紙付き書籍において、上記隔離シートの表紙を着色したことを特徴とする感圧記録紙付き書籍。
【００１５】
感圧発色記録紙や感圧吸色記録紙と明確に区別できる。
【考案を実施するための最良の形態】
【００１６】
以下、本考案の実施の形態を実施例ごとに詳細に説明する。
【実施例１】
【００１７】
図１は、実施例１の感圧記録紙付き書籍を示す斜視図、図２ないし図４はそれぞれ同感圧記録紙付き書籍の説明図である。
図に示す感圧記録紙付き書籍は、感圧による発色性を有する感圧発色記録紙１２と、吸色性を有し、感圧発色記録紙１２の発色により複写可能な感圧吸色記録紙１４と、感圧発色記録紙１２の発色による複写を阻止する隔離シート１６とを備えている。そして、感圧発色記録紙１２と感圧吸色記録紙１４との間に、隔離シート１６が介在され、これらを重ね合わせると共に、隔離シート１６を分離可能な状態で製本してなるものである。
【００１８】
感圧発色記録紙１２は、周知の感圧発色剤層を備えた用紙で、表面に使用目的に合った罫線等を含む記入欄１８が設けられている。感圧吸色記録紙１４は、周知の感圧吸色剤層を備えた用紙で、表面に、感圧発色記録紙１２の記入欄１８に合致する記入欄２０が設けられている。
【００１９】
隔離シート１６は、感圧発色記録紙１２の発色が感圧吸色記録紙１４に転写させない紙やプラスチックシート等により構成されている。従って、感圧発色記録紙１２の記入欄１８にペン等で文字、数字等を記入する際に、感圧吸色記録紙１４の記入欄２０に複写したい場合、その間の隔離シート１６を適時分離すればよい。
【００２０】
感圧発色記録紙１２と感圧吸色記録紙１４との間に、隔離シート１６を配置し重ね合わせた状態を１セットとし、このセットの複数組を一冊に綴じたものとすることができる。あるいは、適当な頁に、このセット以外の用紙、伝票類や記事、写真の掲載紙等も一緒に綴じ込んで多様な形の書籍とすることができる。
【００２１】
隔離シート１６を分離可能な状態とするために、図４に示すように、隔離シート１６の各綴代近傍に、その綴代端縁に沿うミシン目２２が設けられている。このミシン目２２は、感圧吸色記録紙１４の各綴代近傍に設けられてもよい。感圧発色記録紙１２を原紙（本人控え用）、感圧吸色記録紙１４を手渡し用として用いた場合に、ミシン目２２に沿って隔離シート１６や感圧吸色記録紙１４を、簡単かつきれいに切り離すことができる。
【００２２】
また、図４に示すように、隔離シート１６には、感圧発色記録紙１２の記入欄１８の横罫線に沿うミシン目２５が設けられてもよい。このようにすれば、隔離シート１６を、感圧発色記録紙１２の記入欄１８への記入状況に応じて、例えば、ミシン目２２とミシン目２５に沿って上部から下方に向って部分的に順次切り離していくことができる。
【００２３】
図４に示すように隔離シート１６の表紙に、使用者が隔離シート１６をどのように取り扱えばよいのかが分かるように、隔離シート１６の取扱いコメント文２４が表示されている。コメント文としては、例えば、「このシートは使用する前に必ず取り除いてください。」のような文言とする。また、隔離シート１６の表紙を着色して感圧発色記録紙１２や感圧吸色記録紙１４と明確に区別するようにしてもよい。
【００２４】
上記したように、本考案の感圧記録紙付き書籍によれば、感圧吸色記録紙が特に製本中等に感圧発色記録紙の発色により汚れることが防止される。従来であれば、感圧吸色記録紙が加圧力で汚れ易いことから、製本中に感圧吸色記録紙に圧力が加わらないような製本方法に限られていた。しかし、本考案を適用することにより、週刊誌等の製本で採用される中綴じ、上製本ソフトカバー、ハードカバー等の製本で採用される無線綴じ、手帳等の製本で採用される糸かがり、製本中に糊で付けるタイプ等の圧力が加わるような製本方法でも自由に採用可能となり、製本方法の選択肢が豊富になった。また、汚れによる感圧発色記録紙と感圧吸色記録紙のセットロスを回避できる。
【図面の簡単な説明】
【００２５】
【図１】実施例１の感圧記録紙付き書籍を示す斜視図である。
【図２】同感圧記録紙付き書籍の１ないし２頁をめくった状態を示す説明図である。
【図３】同感圧記録紙付き書籍の要部を示す説明図である。
【図４】同感圧記録紙付き書籍の隔離シートを示す説明図である。
【符号の説明】
【００２６】
１２  感圧発色記録紙
１４  感圧吸色記録紙
１６  隔離シート
１８  記入欄
２０  記入欄
２２  ミシン目
２４  取扱いコメント文
２５  ミシン目
【図１】
0003116921.tif 000003
【図２】
0003116921.tif 000004
【図３】
0003116921.tif 000005
【図４】
0003116921.tif 000006